(57)【要約】【課題】容器体口頸部に雄ねじ筒付き中栓を嵌合させ、その中栓にキャップを螺合する容器にあっては、キャップ螺脱の際、中栓がキャップと共に容器体口頸部に対して回動して、キャップの螺脱が出来ないことがあったので、その問題を解決すると共に容器体口頸部に対する中栓打設が容易とした。【解決手段】容器体口頸部３の外面へ第１リブ７を、又該口頸部外面へ嵌合ささせる、上部に雄ねじを有する中栓１１周壁１４の内面に第２リブ２５を、それぞれ等間隔に付設すると共に、第１リブ上端と第２リブ下端とに、第１リブ上面へ第２リブ下面が接したとき、各第２リブを第１リブ間へ案内する傾斜面８，２６，４１を付形した。【選択図】　図５
2004083074.tif 000002
【特許請求の範囲】
【請求項１】
容器体１の口頸部３外面へ中栓１１下方の周壁１４を嵌合させ、かつ該中栓外面へキャップ周壁３３を螺合させた容器において、
上記口頸部３外面へ、ほぼ等間隔に回止め用第１リブ７を複数付設すると共に、中栓周壁１４の内面へ、上記第１リブ間へ嵌合させて複数の第２リブ２５を付設し、
それ等第１リブの上面および第２リブの下面の双方へ、口頸部外面への中栓周壁１４下降により第１リブ上面へ第２リブ下面が接したときに各第２リブを第１リブ間の間隙へ案内する傾斜面８，２６，４１を付形した
ことを特徴とする、中栓およびキャップ付き容器。
【請求項２】
上記各第１リブ７下方の口頸部部分外面へ、下向き段部５を周設すると共に、複数第２リブ２５の下部内面へ、上記下向き段部５へ係合する係合突条２７を付設した
ことを特徴とする請求項１記載の中栓およびキャップ付き容器。
【請求項３】
上記第１リブ７を、口頸部３の上部よりも下方に設けて、該上部外面と、該上部外面へ嵌合する中栓周壁１４の上部内面とのいずれかの一方に、シール突条２９を周設させた
ことを特徴とする、請求項１又は２記載の中栓およびキャップ付き容器。
【請求項４】
中栓１１下部を、中栓中間部に設けたフランジ１３の内外周縁から垂下する内外二重筒で形成して、容器体口頸部の上面へフランジ１３下面を、口頸部３の内面へ上記内筒１５を、それぞれ当接すると共に、口頸部３外面へ、上記外筒としての中栓周壁１４を嵌合させた
ことを特徴とする請求項１、２又は３記載の中栓およびキャップ付き容器。
【発明の詳細な説明】
【０００１】
【発明の属する技術分野】
本発明は、中栓およびキャップ付きの容器に関する。
【０００２】
【従来の技術】
【発明が解決しようとする課題】
容器体の口頸部外面へプルリング付きの中栓を嵌合させ、かつその中栓上部の外面へキャップを螺合させた容器が知られている。その容器体内に例えば油類を収納させると、容器体口頸部と該口頸部へ嵌合させた中栓周壁との間にも油類が付着し、すると口頸部に対して中栓が滑り易くなって、中栓に螺合させたキャップ螺脱の際、キャップと中栓とが共に回動してキャップを螺脱できない場合があった。
【０００３】
そのような欠点除去のために実公昭５８−５０７６１号は、中栓を軟質の合成樹脂製とし、又容器体口頸部へ外面に鋸状歯を周設しておき、口頸部外面への中栓打設により上記鋸状歯が中栓周壁の内面へ喰込みするよう設けておき、よってキャップ螺脱時に中栓がキャップと共に、回転しようとしても、上記中栓周壁への鋸状歯喰込みにより中栓の回動を防止できるよう設けている。
【０００４】
本発明も上記のように、キャップ螺脱時に中栓が共に回動してキャップの螺脱が困難となることを防止可能としたものであり、併せて中栓が軟材質でなくともよく、容器体に対する中栓の打栓も容易かつ迅速に行うことが出来、又中栓の抜出しを防止すると共に該中栓を気密に嵌合できて液洩れを防止できるよう設けたものである。
【０００５】
【課題を解決するための手段】
第１の手段として容器体１の口頸部３外面へ中栓１１下方の周壁１４を嵌合させ、かつ該中栓外面へキャップ周壁３３を螺合させた容器において、
上記口頸部３外面へ、ほぼ等間隔に回止め用第１リブ７を複数付設すると共に、中栓周壁１４の内面へ、上記第１リブ間へ嵌合させて複数の第２リブ２５を付設し、
それ等第１リブの上面および第２リブの下面の双方へ、口頸部外面への中栓周壁１４下降により第１リブ上面へ第２リブ下面が接したときに各第２リブを第１リブ間の間隙へ案内する傾斜面８，２６，４１を付形した。
【０００６】
第２の手段として、上記第１の手段を有すると共に上記各第１リブ７下方の口頸部部分外面へ、下向き段部５を周設すると共に、複数第２リブ２５の下部内面へ、上記下向き段部５へ係合する係合突条２７を付設した。
【０００７】
第３の手段として、上記第１又は第２の手段を有すると共に上記第１リブ７を、口頸部３の上部よりも下方に設けて、該上部外面と、該上部外面へ嵌合する中栓周壁１４の上部内面とのいずれかの一方に、シール突条２９を周設させた。
【０００８】
第４の手段として、上記第１、第２又は第３の手段を有すると共に中栓１１下部を、中栓中間部に設けたフランジ１３の内外周縁から垂下する内外二重筒で形成して、容器体口頸部の上面へフランジ１３下面を、口頸部３の内面へ上記内筒１５を、それぞれ当接すると共に、口頸部３外面へ、上記外筒としての中栓周壁１４を嵌合させた。
【０００９】
【発明の実施の形態】
以下まず従来公知の構造について説明すると、１は胴部２上端から肩部を介して口頸部３を起立する容器体で、上記口頸部の下部外面へ巾狭の外向きフランジ４を付設している。
【００１０】
上記口頸部には、プルリング付き中栓１１を嵌合させている。該中栓は主筒１２の中間部外面へ付設した外向きのフランジ１３外周から外筒としての周壁１４を垂下させて、上記主筒１２の下部が形成する内筒１５を口頸部３内面へ、又周壁１４を口頸部３外面へ、それぞれ嵌合させ、又上記主筒１２外面に雄ねじ条１６ａ　を付設して雄ねじ筒１６となし、該雄ねじ筒上端から内向きフランジ１７を介して中栓内周壁１８を垂下し、該中栓内周壁下面を底壁１９で閉塞し、又該底壁に肉薄の破断用線２０を周設して該破断用線が囲む底壁部分を除去用板部２１となし、該除去用板部外周一部から支持板２２を起立させて、該支持板上端にプルリング２３を付設させている。又上記内向きフランジ１７内周からは液体注出のための、上外方へ拡開する口唇状部２４を起立する。
【００１１】
３１はキャップで、頂壁３２下面から垂下する周壁３３を上記雄ねじ筒１６へ螺合させると共に、頂壁から垂下させたシール筒３４を中栓内周壁１８内面へ水密に嵌合させ、又上記頂壁外周部分を下外方へ弯曲させてキャップ外周壁３５を垂下させ、その下端を容器体肩部の外周部上面へ近接させている。
【００１２】
本発明にあっては、既述口頸部の外向きフランジ４上方の口頸部部分の上下方向中間部を、下向き段部５を下面に有し、かつ上面を上方小径のテーパ面とする大外径部６となし、その大外径部６外面へ、図３が示すように、ほぼ等間隔に回止め用の第１リブ７を複数縦設した。各第１リブ上端はその左右両面を傾斜面８，８とする山形に形成している。
【００１３】
又中栓１１の周壁１４の下部内面へは、上記第１リブ間へ嵌合させる第２リブ２５を複数付設している。これ等第２リブの下端も上記第１リブ上端と同様に左右両面を傾斜面２６，２６　とする、下向きの山形状に形成し、又これ等第２リブの下部内面には、既述下向き段部５へ係合できる係合突条２７を横設している。
【００１４】
更に周壁１４の上部は小内径部２８として、該小内径部２８内面に、口頸部３の上部外面へ圧接させるシール用突条２９を周設させており、フランジ１３の下面へも口頸部上面へ圧接させるシール用突条２９を周設させている。尚これ等シール用突条は口頸部に設けてもよい。
【００１５】
第２リブ２５は図１、図４が示すように周壁１４下部を上部よりもやや大外径とし、かつ第２リブ２５間に内面および下端面開溝の溝３０をほぼ等間隔に穿設し、その溝間の周壁内面部分を第２リブ２５としている。第２リブ間の間隔、つまり上記溝巾は第１リブ７の横巾よりもやや大としている。
【００１６】
既述第１リブ上端および第２リブ下端の山形状部は、中栓１１を口頸部３に対して打栓嵌合する際、第１リブ、第２リブが有する傾斜面８，２６　により第２リブが第１リブ間へ案内されて嵌合できるよう設けたものであり、上記山形の突部に代えて、左右のいずれかに傾斜面８を有し、他方を垂直面４２とする、図５のような突部形状としてもよい。
【００１７】
尚既述各部材は、それぞれ合成樹脂材で形成している。
【００１８】
【発明の効果】
本発明は既述構成とするもので、口頸部３に対する中栓打設により第１リブ７間に第２リブ２５を嵌合させることが容易であり、これ等両リブの係合によって口頸部に対する中栓の回動を確実に防止でき、既述従来例のように中栓の材質が軟材質に限定されることもない。
【００１９】
請求項２のようにすることで、口頸部３に対して中栓１１を確実に嵌着でき、更に請求項３および４のようにすることで、中栓を口頸部に対して水密に嵌合させることが出来る。
【図面の簡単な説明】
【図１】本発明容器の断面図である。
【図２】図１要部の拡大断面図である。
【図３】容器体口頸部の斜視図である。
【図４】中栓周壁内面一部の斜視図である。
【図５】図３と図４とに示す第１リブと第２リブとの変形例の説明図である。
【符号の説明】
１…容器体　　　　　　　　　　　　　　３…口頸部
７…第１リブ　　　　　　　　　　８…傾斜面
１１…中栓　　　　　　　　１４…周壁
２５…第２リブ　　　　　　　　　　　　２６…傾斜面
２９…シール用突条　　　　　　　　３１…キャップ
【図１】
2004083074.tif 000003
【図２】
2004083074.tif 000004
【図３】
2004083074.tif 000005
【図４】
2004083074.tif 000006
【図５】
2004083074.tif 000007